(57)【要約】【課題】長時間の使用に耐えることができる表示装置、表示制御方法、及びプログラムを提供する。【解決手段】ウエアラブル端末装置１００において、ユーザの活動状態を示す指標情報を検出する指標情報検出手段（センサ部１４）と、前記ユーザの活動状態に関する情報を表示する表示手段（表示部１６）と、前記指標情報検出手段により検出された前記指標情報に基づいて、前記ユーザの活動状態が変化しかた否かを判定する判定手段（判定部１７ａ）と、前記判定手段により前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する制御手段（表示制御部１７）と、を備えるようにする。【選択図】図２
2016177240.tif 000002
【特許請求の範囲】
【請求項１】
ユーザの活動状態を示す指標情報を検出する指標情報検出手段と、
前記ユーザの活動状態に関する情報を表示する表示手段と、
前記指標情報検出手段により検出された前記指標情報に基づいて、前記ユーザの活動状態が変化したか否かを判定する判定手段と、
前記判定手段により前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する制御手段と、
を備えることを特徴とする表示装置。
【請求項２】
前記制御手段は、前記判定手段により前記ユーザの活動状態が変化したと判定された場合、前記ユーザの活動状態の変化後の前記ユーザの活動状態に関連性がある情報を、見やすく表示するように前記表示手段の輝度を上げることを特徴とする請求項１に記載の表示装置。
【請求項３】
前記制御手段は、所定時間の間、前記判定手段により前記ユーザの活動状態に変化が無いと判定された場合、前記表示の輝度を下げることを特徴とする請求項１または２に記載の表示装置。
【請求項４】
前記指標情報検出手段により検出された前記指標情報に基づいて、前記ユーザの活動状態に関する活動情報を導出する活動情報導出手段をさらに備え、
前記表示手段は、前記活動情報導出手段により導出された複数の活動情報を表示する表示領域をそれぞれ有し、
前記制御手段は、所定時間の間、前記判定手段により前記ユーザの活動状態に変化が無いと判定された場合、当該変化が無いと判定された前記ユーザの活動状態の前記活動情報を表示する表示領域の輝度を下げることを特徴とする請求項１〜３の何れか一項に記載の表示装置。
【請求項５】
前記制御手段は、前記判定手段により前記ユーザの活動状態に変化があったと判定された場合、当該変化があったと判定された前記ユーザの活動状態の前記活動情報を表示する表示領域の輝度を上げることを特徴とする請求項４に記載の表示装置。
【請求項６】
ユーザの活動状態に関する情報を表示する表示手段を備える表示装置の表示制御方法であって、
前記ユーザの活動状態を示す指標情報を検出する処理と、
検出された前記指標情報に基づいて、前記ユーザの活動状態が変化したか否かを判定する処理と、
前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する処理と、
を含むことを特徴とする表示制御方法。
【請求項７】
ユーザの活動状態に関する情報を表示する表示手段を備える表示装置のコンピュータに、
前記ユーザの活動状態を示す指標情報を検出する指標情報検出機能、
前記指標情報検出機能により検出された前記指標情報に基づいて、前記ユーザの活動状態が変化したか否かを判定する判定機能、
前記判定機能により前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する制御機能、
を実現させることを特徴とするプログラム。
【発明の詳細な説明】
【技術分野】
【０００１】
本発明は、表示装置、表示制御方法、及びプログラムに関する。
【背景技術】
【０００２】
従来、身に着けて持ち歩くことができるウエアラブル端末装置として、腕時計型のものが知られている。例えば、特許文献１には環状のフレームの略全周に亘って表示画面が配置された表示部を有するものが開示されている。
【先行技術文献】
【特許文献】
【０００３】
【特許文献１】特開２００６−１７１４１２号公報
【発明の概要】
【発明が解決しようとする課題】
【０００４】
しかしながら、上記特許文献１に記載の装置では、小型化や軽量化が図られ、容量の小さいバッテリを搭載せざるを得ないため、長時間の使用に耐えることができないという問題があった。
【０００５】
本発明は、このような問題に鑑みてなされたものであり、長時間の使用に耐えることができる表示装置、表示制御方法、及びプログラムを提供することを目的とする。
【課題を解決するための手段】
【０００６】
上記課題を解決するため、本発明に係る表示装置は、
ユーザの活動状態を示す指標情報を検出する指標情報検出手段と、
前記ユーザの活動状態に関する情報を表示する表示手段と、
前記指標情報検出手段により検出された前記指標情報に基づいて、前記ユーザの活動状態が変化したか否かを判定する判定手段と、
前記判定手段により前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する制御手段と、
を備えることを特徴とする。
【発明の効果】
【０００７】
本発明によれば、長時間の使用に耐えることができる。
【図面の簡単な説明】
【０００８】
【図１】本発明を適用した一実施形態のウエアラブル端末装置の概略図である。
【図２】本発明を適用した一実施形態のウエアラブル端末装置の概略構成を示すブロック図である。
【図３】図１のウエアラブル端末装置による第１表示領域制御処理に係る動作の一例を示すフローチャートである。
【図４】図１のウエアラブル端末装置による第２表示領域制御処理に係る動作の一例を示すフローチャートである。
【図５】図１のウエアラブル端末装置による第３表示領域制御処理に係る動作の一例を示すフローチャートである。
【図６】表示部の輝度レベルを説明する図である。
【図７】加速度センサから出力される歩行時と走行時の加速度情報の一例を示す信号波形図である。
【図８】脈拍波形の一例を示す信号波形図である。
【図９】表示部のうち第１表示領域の輝度レベルを１段階下げたときの一例を示す図である。
【図１０】（ａ）はユーザが平地（高度が一定の場所）で停止状態にあるときの表示部の一例を示す図であり、（ｂ）はユーザが走行状態に移行したときの表示部の一例を示す図である。
【発明を実施するための形態】
【０００９】
以下に、本発明について図面を用いて具体的な態様を説明する。ただし、発明の範囲は、図示例に限定されない。
【００１０】
図１は、本発明の表示装置の一実施形態であるウエアラブル端末装置１００の外観図である。
図１に示すように、本実施形態のウエアラブル端末装置１００は、腕時計型をなしており、バンド部１と、表示部１６とを備えている。
【００１１】
バンド部１は、湾曲形状をなした樹脂製の第１バンド１ａ及び第２バンド１ｂと、これらのバンドを接合するヒンジ１ｃとから構成されている。バンド部１は、ヒンジ１ｃを介することによって、第１バンド１ａに対して第２バンド１ｂを傾動させることが可能となっている。これにより、バンド部１は、輪状をなす第１状態（図１の状態）と、輪状を解除した第２状態とに変換可能となっている。本実施形態のウエアラブル端末装置１００は、バンド部１が第２状態のときに腕に装着可能となり、第１状態に変換することにより当該装置１００を腕に固定させることができるようになっている。
【００１２】
表示部１６（後述）は、第１バンド１ａの外周面上に、外周面に亘って設けられている。また、図示は省略するが表示部１６の上には操作部１８であるタッチパネルが設けられている。
【００１３】
図２は、本実施形態のウエアラブル端末装置１００の概略構成を示すブロック図である。
図２に示すように、ウエアラブル端末装置１００は、ＣＰＵ（Central Processing Unit）１１と、ＲＯＭ（Read Only Memory）１２と、ＲＡＭ（Random Access Memory）１３と、センサ部１４と、活動情報導出部１５と、表示部１６と、表示制御部１７と、操作部１８と、計時部１９と、電源部２０とを備えている。
【００１４】
ＣＰＵ１１は、各種演算処理を行い、ウエアラブル端末装置１００の全体動作を統括制御する。本実施形態において、ＣＰＵ１１は、表示制御部１７に対する表示制御の指示やその他実行可能な機能に係る各種動作に係る処理を行う。
【００１５】
ＲＯＭ１２は、ＣＰＵ１１が実行する種々のプログラムや初期設定データを格納する。
ＲＡＭ１３は、ＣＰＵ１１に作業用のメモリ空間を提供し、作業用の一時データを記憶する。
【００１６】
センサ部（指標情報検出手段）１４は、ウエアラブル端末装置１００を装着した人（以下、ユーザという）の活動状態を示す指標情報を検出するものであり、加速度センサ１４ａと、気圧センサ１４ｂと、脈拍センサ１４ｃとを備えている。
【００１７】
加速度センサ１４ａは、ウエアラブル端末装置１００に内蔵され、ユーザの運動中の動作速度の変化の割合（加速度）を示す加速度情報（指標情報；センサデータ）を検出し、当該加速度情報を出力する。この加速度情報は、ＲＡＭ１３の所定の記憶領域に保存される。
【００１８】
気圧センサ１４ｂは、加速度センサ１４ａと同様、ウエアラブル端末装置１００に内蔵され、気圧を示す気圧情報（指標情報；センサデータ）を検出し、当該気圧情報を出力する。この気圧情報は、ＲＡＭ１３の所定の記憶領域に保存される。
【００１９】
脈拍センサ（反射型光センサ）１４ｃは、ユーザの腕の皮膚表面に対向配置されるように、例えば、第１バンド１ａの内側面に配設されている。脈拍センサ１４ｃは、動脈血中のヘモグロビンが光を吸収するという性質を利用し、ユーザの皮膚内部から戻ってきた光を受光素子で測定し、測定された光量を示す光量情報（指標情報；センサデータ）を検出し、当該光量情報を出力する。この光量情報は、ＲＡＭ１３の所定の記憶領域に保存される。
【００２０】
活動情報導出部（活動情報導出手段）１５は、センサ部１４により検出された複数種類の指標情報に基づいて、ユーザの活動状態に関する活動情報を導出する。
具体的には、活動情報導出部１５は、加速度センサ１４ａにより検出された加速度情報（センサデータ）をＲＡＭ１３から取得する。次いで、活動情報導出部１５は、取得された加速度情報を平滑化して波形信号（図７参照）を解析する。次いで、活動情報導出部１５は、解析された波形信号からピーク値が検出されたか否かを判定し、当該波形信号からピーク値が検出されたと判定した場合、歩み（一歩）があるとみなす。そして、活動情報導出部１５は、歩数データ、距離データ、及びカロリデータを更新して、ＲＡＭ１３の所定の記憶領域に保存する。ここで、距離データの値は、予めセットされているユーザの歩幅データの値に歩数データの値を掛け合わせることにより導出可能となっている。また、カロリデータの値は、予めセットされているユーザの体重データの値に距離データの値を掛け合わせることにより導出可能となっている。
【００２１】
また、活動情報導出部１５は、気圧センサ１４ｂにより検出された気圧情報（センサデータ）をＲＡＭ１３から取得する。次いで、活動情報導出部１５は、取得された気圧情報を平滑化し、当該気圧情報から高度を算出してＲＡＭ１３の所定の記憶領域に保存する。なお、気圧から高度への換算式は公知の式を使用することで実現可能であるため、詳細な説明は省略する。
【００２２】
また、活動情報導出部１５は、脈拍センサ１４ｃにより検出された光量情報（センサデータ）をＲＡＭ１３から取得する。次いで、活動情報導出部１５は、取得された光量情報を平滑化して波形信号を解析する。次いで、活動情報導出部１５は、当該波形信号に基づく波形パターンと、脈拍波形のパターンとが一致するか否かを判定する。そして、活動情報導出部１５は、脈拍波形のパターンと一致すると判定した場合、解析された波形信号から脈拍数を算出して、ＲＡＭ１３の所定の記憶領域に保存する。ここで、脈拍数とは、１分間当たりの脈動数のことを指す。脈拍数は、例えば、図８に示すように脈拍波形のピークレベル間の時間Ｔを求めることにより算出可能となっている。
【００２３】
表示部（表示手段）１６は、表示パネル１６ａと、バックライト１６ｂとを備えている。
表示パネル１６ａは、後述するバックライト１６ｂを光源とする液晶表示装置（ＬＣＤ；Liquid Crystal Display）から構成された表示パネルである。
本実施形態では、図６に示すように、表示パネル１６ａは、歩数データ、距離データ、及びカロリデータを表示する第１表示領域１６ａ１と、高度データを表示する第２表示領域１６ａ２と、脈拍数データを表示する第３表示領域１６ａ３とを有している。
【００２４】
バックライト１６ｂは、例えば、ＬＥＤ（Light Emitting Diode）アレイなどから構成された光源装置であり、表示パネル１６ａでの表示に必要な光源としての発光動作を行う。本実施形態では、第１〜第３表示領域１６ａ１〜１６ａ３のそれぞれにおいて、印加される電流に応じて輝度レベルを調整可能となっている。具体的には、図６（ａ）に示す輝度レベル１（常態の輝度；輝度１００％）の状態と、同図（ｂ）に示す輝度レベル２（輝度５０％）の状態と、同図（ｃ）に示す輝度レベル３（消灯；輝度０％）の何れかの状態に調整可能となっている。
【００２５】
表示制御部（制御手段）１７は、表示用データを生成して表示部１６の表示パネル１６ａに表示させる制御を行う。
本実施形態において、表示制御部１７は、ＲＡＭ１３に保存されている歩数データ、距離データ、及びカロリデータから表示用データを生成して第１表示領域１６ａ１に表示させる制御を行う。また、表示制御部１７は、ＲＡＭ１３に保存されている高度データから表示用データを生成して第２表示領域１６ａ２に表示させる制御を行う。また、表示制御部１７は、ＲＡＭ１３に保存されている脈拍数データから表示用データを生成して第３表示領域１６ａ３に表示させる制御を行う。
【００２６】
また、本実施形態において、表示制御部１７は、判定部１７ａを備えている。
判定部１７ａは、センサ部１４により検出された指標情報に基づいて、ユーザの活動状態が変化したか否かを判定する。
具体的には、判定部１７ａは、活動情報導出部１５により導出された距離データと、計時部１９（後述）により計時された計時データから速度データを導出し、当該速度データからユーザが歩行状態にあるか走行状態にあるかを判定する。
そして、表示制御部１７は、所定時間が経過しても、判定部１７ａによりユーザの活動状態に変化が無いと判定された場合、すなわち、所定時間に亘って歩行状態又は走行状態が継続されていると判定部１７ａにより判定された場合、第１表示領域１６ａ１の輝度レベルを１段階下げる。具体的には、例えば、所定時間に亘って歩行状態又は走行状態が継続されていると判定部１７ａにより判定された際の輝度レベルが輝度レベル１（図６（ａ）参照）である場合、表示制御部１７は、図９に示すように、第１表示領域１６ａ１の輝度レベルを輝度レベル２に下げる。なお、判定部１７ａによりユーザの活動状態に変化が無いと判定された際の輝度レベルが既に輝度レベル３（消灯；輝度０％）のときは、当該輝度レベルを維持する。  一方、表示制御部１７は、所定時間の間に判定部１７ａによりユーザの活動状態に変化があったと判定された場合、すなわち、歩行状態から走行状態へ、又は、走行状態から歩行状態へ移行したと判定部１７ａにより判定された場合、第１表示領域１６ａ１の輝度レベルを輝度レベル１（常態の輝度；輝度１００％）に制御する。
【００２７】
また、判定部１７ａは、活動情報導出部１５により導出された高度データに基づき、ユーザが建物の何階に相当するところに位置するかを判定する。ここで、建物１階当たりの高度を４ｍとして計算することとする。例えば、活動情報導出部１５により導出された高度が１５ｍである場合、判定部１７ａは、ユーザが建物の４階に位置していると判定する。
そして、表示制御部１７は、所定時間が経過しても、判定部１７ａによりユーザの活動状態に変化が無いと判定された場合、すなわち、所定時間に亘ってユーザが建物の同じ階数にいると判定部１７ａにより判定された場合、第２表示領域１６ａ２の輝度レベルを１段階下げる。なお、判定部１７ａによりユーザの活動状態に変化が無いと判定された際の輝度レベルが既に輝度レベル３（消灯；輝度０％）のときは、当該輝度レベルを維持する。
一方、表示制御部１７は、所定時間の間に判定部１７ａによりユーザの活動状態に変化があったと判定された場合、すなわち、ユーザが建物の異なる階へ移動したと判定部１７ａにより判定された場合、第２表示領域１６ａ２の輝度レベルを輝度レベル１（常態の輝度；輝度１００％）に制御する。
【００２８】
また、判定部１７ａは、活動情報導出部１５により導出された脈拍数データに基づき、ユーザが停止状態と、歩行状態と、走行状態とのうちの何れの状態にあるかを判定する。例えば、判定部１７ａは、脈拍数が第１閾値以上の場合、走行状態にあり、当該脈拍数が第１閾値未満、第２閾値（第２閾値は第１閾値より小さいものとする）以上の場合、歩行状態にあり、第２閾値未満の場合、停止状態にあると判定する。
そして、表示制御部１７は、所定時間が経過しても、判定部１７ａによりユーザの活動状態に変化が無いと判定された場合、すなわち、所定時間に亘って停止状態、歩行状態、又は走行状態の何れかが継続されていると判定部１７ａにより判定された場合、第３表示領域１６ａ３の輝度レベルを１段階下げる。なお、判定部１７ａによりユーザの活動状態に変化が無いと判定された際の輝度レベルが既に輝度レベル３（消灯；輝度０％）のときは、当該輝度レベルを維持する。
一方、表示制御部１７は、所定時間の間に判定部１７ａによりユーザの活動状態に変化があったと判定された場合（例えば、停止状態から歩行状態へ移行した場合等）、第３表示領域１６ａ３の輝度レベルを輝度レベル１（常態の輝度；輝度１００％）に制御する。
【００２９】
ここで、例えば、平地（高度が一定の場所）で停止状態にあるユーザが走り始め、走行状態に移行したときの表示部１６の表示例について、図１０（ａ），（ｂ）を用いて説明する。
図１０（ａ）は、ユーザが平地（高度が一定の場所）で停止状態にあるときの表示部１６の一例を示す図である。また、図１０（ｂ）は、ユーザが走行状態に移行したときの表示部１６の一例を示す図である。
【００３０】
所定期間の間、ユーザが平地（高度が一定の場所）で停止状態にある場合、上述のように、判定部１７ａによりユーザの活動状態に変化が無いと判定され、図１０（ａ）に示すように、第１〜第３表示領域１６ａ１〜１６ａ３の輝度レベルがそれぞれ１段階下げられた状態（例えば、輝度レベル２）となる。そして、ユーザがこの平地で走行状態に移行した場合、判定部１７ａによりユーザの活動状態に変化があったと判定され、図１０（ｂ）に示すように、変化後のユーザの活動状態（走行状態）に関連性がある情報、すなわち、歩数データ、距離データ、カロリデータ、及び脈拍数データを、見やすく表示するように第１表示領域１６ａ１、及び第３表示領域１６ａ３の輝度レベルをそれぞれ輝度レベル１（常態の輝度；輝度１００％）に制御する。一方、このときの高度データ（変化後のユーザの活動状態（走行状態）に関連性がない情報）については変化が無いため、第２表示領域１６ａ２の輝度レベルは１段階下げられた状態（例えば、輝度レベル３）となる。
【００３１】
操作部１８は、表示部１６の表示パネル１６ａ上に設けられた静電容量方式のタッチパネルである。操作部１８は、タッチパネル上におけるユーザのタッチ操作位置と操作内容とを検出して当該操作に応じた信号を発生させて、入力信号としてＣＰＵ１１に出力する。
【００３２】
計時部１９は、図示は省略するが、例えば、タイマや計時回路等を備えて構成され、現在の時刻を計時して時刻情報を取得する。そして、計時部１９は、取得した時刻情報をＣＰＵ１１に出力する。
【００３３】
電源部２０は、ウエアラブル端末装置１００の動作に係る電力を所定の電圧で供給する。電源部２０は、例えば、各種方式の電池（リチウム電池、ニッケル・水素充電池等）を具備している。本実施形態では、電源部２０からＣＰＵ１１に対して電力が供給される。
【００３４】
＜第１表示領域制御処理＞
次に、本実施形態のウエアラブル端末装置１００による第１表示領域制御処理について、図３を参照して説明する。
図３は、第１表示領域制御処理に係る動作の一例を示すフローチャートである。なお、第１表示領域制御処理は、加速度センサ１４ａにより取得されるセンサデータ（加速度情報）のサンプリング周期ごとに起動される。
【００３５】
図３に示すように、先ず、計時部１９は、表示経過カウンタの値をインクリメント（＋１）する（ステップＳ１）。次いで、活動情報導出部１５は、加速度センサ１４ａにより検出された加速度情報（センサデータ）をＲＡＭ１３から取得する（ステップＳ２）。次いで、活動情報導出部１５は、取得された加速度情報を平滑化し（ステップＳ３）、波形信号を解析する（ステップＳ４）。
【００３６】
次いで、活動情報導出部１５は、波形信号からピーク値が検出されたか否か、すなわち当該波形信号からユーザの歩み（１歩）が検出されたか否かを判定する（ステップＳ５）。
ステップＳ５にて、当該波形信号からピーク値が検出されたと判定された場合（ステップＳ５；ＹＥＳ）、活動情報導出部１５は、歩数データ、距離データ、及びカロリデータを更新（導出）し（ステップＳ６）、ＲＡＭ１３の所定の記憶領域に保存する（ステップＳ７）。次いで、表示制御部１７は、ＲＡＭ１３に保存されている歩数データ、距離データ、及びカロリデータから表示用データを生成して第１表示領域１６ａ１に表示させる（ステップＳ８）。
一方、ステップＳ５にて、当該波形信号からピーク値が検出されないと判定された場合（ステップＳ５；ＮＯ）、ステップＳ６〜ステップＳ８をスキップして、ステップＳ９へ移行する。
【００３７】
続けて、ステップＳ９にて、表示制御部１７は、所定時間が経過したか否か、すなわち表示経過カウンタの値が所定値に達したか否かを判定する（ステップＳ９）。
ステップＳ９にて、所定時間が経過したと判定された場合（ステップＳ９；ＹＥＳ）、表示制御部１７は、第１表示領域１６ａ１の輝度レベルが既に輝度レベル３（消灯；輝度０％）であるかを判定する（ステップＳ１０）。
【００３８】
ステップＳ１０にて、輝度レベル３でないと判定された場合（ステップＳ１０；ＮＯ）、表示制御部１７は、第１表示領域１６ａ１の輝度レベルを１段階下げる（ステップＳ１１）。次いで、計時部１９は、表示経過カウンタをリセットして（ステップＳ１２）、第１表示領域制御処理を終了する。
一方、ステップＳ１０にて、輝度レベル３であると判定された場合（ステップＳ１０；ＹＥＳ）、ステップＳ１１をスキップし、計時部１９は、表示経過カウンタをリセットして（ステップＳ１２）、第１表示領域制御処理を終了する。
【００３９】
また、ステップＳ９にて、所定時間が経過していないと判定された場合（ステップＳ９；ＮＯ）、判定部１７ａは、ユーザの活動状態に変化があるか否かを判定、すなわち、歩行状態から走行状態へ、又は、走行状態から歩行状態へ変化したか否かを判定する（ステップＳ１３）。
ステップＳ１３にて、ユーザの活動状態に変化が無いと判定された場合（ステップＳ１３；ＮＯ）、第１表示領域制御処理を終了する。
一方、ステップＳ１３にて、ユーザの活動状態に変化があると判定された場合（ステップＳ１３；ＹＥＳ）、表示制御部１７は、第１表示領域１６ａ１の輝度レベルを輝度レベル１（常態の輝度；輝度１００％）に制御する。次いで、計時部１９は、表示経過カウンタをリセットして（ステップＳ１２）、第１表示領域制御処理を終了する。
【００４０】
＜第２表示領域制御処理＞
次に、本実施形態のウエアラブル端末装置１００による第２表示領域制御処理について、図４を参照して説明する。
図４は、第２表示領域制御処理に係る動作の一例を示すフローチャートである。なお、第２表示領域制御処理は、気圧センサ１４ｂにより取得されるセンサデータ（気圧情報）のサンプリング周期ごとに起動される。
【００４１】
図４に示すように、先ず、計時部１９は、表示経過カウンタの値をインクリメント（＋１）する（ステップＳ２１）。次いで、活動情報導出部１５は、気圧センサ１４ｂにより検出された気圧情報（センサデータ）をＲＡＭ１３から取得する（ステップＳ２２）。次いで、活動情報導出部１５は、取得された気圧情報を平滑化し（ステップＳ２３）、ユーザが位置する高度を算出する（ステップＳ２４）。
【００４２】
次いで、活動情報導出部１５は、高度データを更新し（ステップＳ２５）、ＲＡＭ１３の所定の記憶領域に保存する（ステップＳ２６）。次いで、表示制御部１７は、ＲＡＭ１３に保存されている高度データから表示用データを生成して第２表示領域１６ａ２に表示させる（ステップＳ２７）。
【００４３】
次いで、表示制御部１７は、所定時間が経過したか否か、すなわち表示経過カウンタの値が所定値に達したか否かを判定する（ステップＳ２８）。
ステップＳ２８にて、所定時間が経過したと判定された場合（ステップＳ２８；ＹＥＳ）、表示制御部１７は、第２表示領域１６ａ２の輝度レベルが既に輝度レベル３（消灯；輝度０％）であるかを判定する（ステップＳ２９）。
【００４４】
ステップＳ２９にて、輝度レベル３でないと判定された場合（ステップＳ２９；ＮＯ）、表示制御部１７は、第２表示領域１６ａ２の輝度レベルを１段階下げる（ステップＳ３０）。次いで、計時部１９は、表示経過カウンタをリセットして（ステップＳ３１）、第２表示領域制御処理を終了する。
一方、ステップＳ２９にて、輝度レベル３であると判定された場合（ステップＳ２９；ＹＥＳ）、ステップＳ３０をスキップし、計時部１９は、表示経過カウンタをリセットして（ステップＳ３１）、第２表示領域制御処理を終了する。
【００４５】
また、ステップＳ２８にて、所定時間が経過していないと判定された場合（ステップＳ２８；ＮＯ）、判定部１７ａは、ユーザが位置する高度に変化があるか否かを判定、すなわち、ユーザが建物の異なる階へ移動したか否かを判定する（ステップＳ３２）。
ステップＳ３２にて、ユーザが位置する高度に変化が無いと判定、すなわち、ユーザが建物の異なる階へ移動していないとされた場合（ステップＳ３２；ＮＯ）、第２表示領域制御処理を終了する。
一方、ステップＳ３２にて、ユーザが位置する高度に変化があると判定、すなわち、ユーザが建物の異なる階へ移動したとされた場合（ステップＳ３２；ＹＥＳ）、表示制御部１７は、第２表示領域１６ａ２の輝度レベルを輝度レベル１（常態の輝度；輝度１００％）に制御する。次いで、計時部１９は、表示経過カウンタをリセットして（ステップＳ３１）、第２表示領域制御処理を終了する。
【００４６】
＜第３表示領域制御処理＞
次に、本実施形態のウエアラブル端末装置１００による第３表示領域制御処理について、図５を参照して説明する。
図５は、第３表示領域制御処理に係る動作の一例を示すフローチャートである。なお、第３表示領域制御処理は、脈拍センサ１４ｃにより取得されるセンサデータ（光量情報）のサンプリング周期ごとに起動される。
【００４７】
図５に示すように、先ず、計時部１９は、表示経過カウンタの値をインクリメント（＋１）する（ステップＳ４１）。次いで、活動情報導出部１５は、脈拍センサ１４ｃにより検出された光量情報（センサデータ）をＲＡＭ１３から取得する（ステップＳ４２）。次いで、活動情報導出部１５は、取得された光量情報を平滑化し（ステップＳ４３）、波形信号を解析する（ステップＳ４４）。
【００４８】
次いで、活動情報導出部１５は、解析された波形信号に基づく波形パターンと、脈拍波形のパターンとが一致するか否かを判定する（ステップＳ４５）。
ステップＳ４５にて、脈拍波形のパターンと一致すると判定された場合（ステップＳ４５；ＹＥＳ）、活動情報導出部１５は、解析された波形信号から脈拍数を算出し（ステップＳ４６）、脈拍数データを更新して（ステップＳ４７）、ＲＡＭ１３の所定の記憶領域に保存する（ステップＳ４８）。次いで、表示制御部１７は、ＲＡＭ１３に保存されている脈拍数データから表示用データを生成して第３表示領域１６ａ３に表示させる（ステップＳ４９）。
一方、ステップＳ４５にて、脈拍波形のパターンと一致しないと判定した場合（ステップＳ４５；ＮＯ）、ステップＳ４６〜ステップＳ４９をスキップして、ステップＳ５０へ移行する。
【００４９】
続けて、ステップＳ５０にて、表示制御部１７は、所定時間が経過したか否か、すなわち表示経過カウンタの値が所定値に達したか否かを判定する（ステップＳ５０）。
ステップＳ５０にて、所定時間が経過したと判定された場合（ステップＳ５０；ＹＥＳ）、表示制御部１７は、第３表示領域１６ａ３の輝度レベルが既に輝度レベル３（消灯；輝度０％）であるかを判定する（ステップＳ５１）。
【００５０】
ステップＳ５１にて、輝度レベル３でないと判定された場合（ステップＳ５１；ＮＯ）、表示制御部１７は、第３表示領域１６ａ３の輝度レベルを１段階下げる（ステップＳ５２）。次いで、計時部１９は、表示経過カウンタをリセットして（ステップＳ５３）、第３表示領域制御処理を終了する。
一方、ステップＳ５１にて、輝度レベル３であると判定された場合（ステップＳ５１；ＹＥＳ）、ステップＳ５２をスキップし、計時部１９は、表示経過カウンタをリセットして（ステップＳ５３）、第３表示領域制御処理を終了する。
【００５１】
また、ステップＳ５０にて、所定時間が経過していないと判定された場合（ステップＳ５０；ＮＯ）、判定部１７ａは、ユーザの脈拍数に変化があるか否かを判定する（ステップＳ５４）。
ステップＳ５４にて、ユーザの脈拍数に変化が無いと判定された場合（ステップＳ５４；ＮＯ）、第３表示領域制御処理を終了する。
一方、ステップＳ５４にて、ユーザの脈拍数に変化があると判定された場合（ステップＳ５４；ＹＥＳ）、表示制御部１７は、第３表示領域１６ａ３の輝度レベルを輝度レベル１（常態の輝度；輝度１００％）に制御する。次いで、計時部１９は、表示経過カウンタをリセットして（ステップＳ５３）、第３表示領域制御処理を終了する。
【００５２】
以上のように、本実施形態のウエアラブル端末装置１００によれば、センサ部１４によって、ユーザの活動状態を示す指標情報を検出し、表示部１６によって、ユーザの活動状態に関する情報を表示し、判定部１７ａによって、センサ部１４により検出された前記指標情報に基づいて、ユーザの活動状態が変化したか否かを判定し、表示制御部１７によって、判定部１７ａによりユーザの活動状態が変化したと判定された場合、変化後の前記ユーザの活動状態と関連性が低い情報よりも、変化後の前記ユーザの活動状態に関連性がある情報を、見やすく表示するように表示部１６を制御することとなる。
従って、バックライト１６ｂの輝度を常に輝度レベル１（輝度１００％）の状態とするのではなく、ユーザの活動状態に合わせて、変化後のユーザの活動状態と関連性が低い情報を表示する表示領域に関してはバックライト１６ｂの輝度レベルを下げ、変化後のユーザの活動状態と関連性がある情報を表示する表示領域に関しては見やすく表示するように当該輝度レベルをもとに戻すことができる。
これにより、バックライト１６ｂの輝度レベルを下げているときに消費電力を抑えることができるので、長時間の使用に耐えることができるようになる。
【００５３】
また、本実施形態のウエアラブル端末装置１００によれば、所定時間の間、判定部１７ａによりユーザの活動状態に変化が無いと判定された場合、バックライト１６ｂの輝度レベルを下げることとなる。
従って、判定部１７ａによりユーザの活動状態に変化が無いと判定されたときは、表示部１６の表示内容に際立った変化が認められず、ユーザが表示部１６の表示内容に関心がないときと推測されるので、かかる場合にバックライト１６ｂの輝度レベルを下げても支障を来さず、消費電力を効率良く抑えることができる。
【００５４】
また、本実施形態のウエアラブル端末装置１００によれば、所定時間の間に判定部１７ａによりユーザの活動状態に変化があったと判定された場合、バックライト１６ｂの輝度を常態の輝度レベル（輝度レベル１）に制御することとなる。
従って、判定部１７ａによりユーザの活動状態に変化があると判定されたときは、表示部１６の表示内容に際立った変化が認められるときであり、ユーザが表示部１６の表示内容に関心があるときと推測されるので、かかる場合に合わせてバックライト１６ｂの輝度レベルを常態の輝度レベルに制御することにより、消費電力を節約することができる。
【００５５】
また、本実施形態のウエアラブル端末装置１００によれば、所定時間の間、判定部１７ａによりユーザの活動状態に変化が無いと判定された場合、このときの判定部１７ａによる判定に用いられた活動情報を表示する表示領域の輝度を下げることとなる。
したがって、ユーザにとって関心がないと推測される表示領域に対応するバックライト１６ｂのみ輝度レベルを下げるようにすることができるので、当該バックライト１６ｂの輝度レベルを下げても支障を来さず、消費電力を効率良く抑えることができる。
【００５６】
また、本実施形態のウエアラブル端末装置１００によれば、所定時間の間に判定部１７ａによりユーザの活動状態に変化があったと判定された場合、このときの判定部１７ａによる判定に用いられた活動情報を表示する表示領域の輝度を常態の輝度レベルに制御することとなる。
従って、ユーザにとって関心があると推測される表示領域に対応するバックライト１６ｂのみを常態の輝度レベルに制御することができ、それ以外の表示領域に対応するバックライト１６ｂについては輝度レベルを上げなくて済むので、消費電力を効率良く抑えることができる。
【００５７】
なお、本発明は、上記実施形態に限定されることなく、本発明の趣旨を逸脱しない範囲において、種々の改良並びに設計の変更を行っても良い。
例えば、上記実施形態にあっては、輝度レベルを、輝度レベル１〜輝度レベル３の３段階で制御するようにしたが、かかる場合に限られず、例えば、輝度レベル１（輝度１００％）、輝度レベル２（輝度レベル７５％）、輝度レベル３（輝度レベル５０％）、輝度レベル４（輝度レベル０％）といったように、上限値である輝度レベル１と、下限値である輝度レベル４の間に複数の輝度レベルを設定することができるようにしても良い。
【００５８】
また、上記実施形態にあっては、判定部１７ａにより判定されたユーザの活動状態に変化が無い場合、このときの判定部１７ａによる判定に用いられた活動情報を表示する表示領域の輝度を１段階下げるようにしたが、輝度レベルの制御方法はこの方法に限られない。例えば、上述のように、上限値である輝度レベル１（輝度１００％）と、下限値である輝度レベル４（輝度０％）の間に複数の輝度レベルを設定することが可能な場合であり、且つ、ウエアラブル端末装置が照度センサを備える場合にあっては、当該照度センサにより検知された照度に適した輝度レベルまで下げることができるようにしても良い。
【００５９】
また、上記実施形態にあっては、ユーザの活動状態に変化があった場合に、変化後のユーザの活動状態に関連性がある情報を表示する表示領域それぞれの輝度を制御したが、ユーザの活動状態に変化があった場合にユーザの活動情報を表示するすべての表示領域の輝度を制御しても良い。
【００６０】
また、上記実施形態にあっては、判定手段、制御手段としての機能を、メインＣＰＵ１１の制御下にて、判定部、表示制御部が駆動することにより実現される構成としたが、これに限られるものではなく、メインＣＰＵ１１によって所定のプログラム等が実行されることにより実現される構成としても良い。
すなわち、プログラムを記憶するプログラムメモリ（図示略）に、判定処理ルーチン、表示制御処理ルーチンを含むプログラムを記憶しておく。そして、判定処理ルーチンによりメインＣＰＵ１１を、センサ部１４により検出された指標情報に基づいて、ユーザの活動状態が変化したか否かを判定する手段として機能させるようにしても良い。また、表示制御処理ルーチンによりメインＣＰＵ１１を、判定処理ルーチンによりユーザの活動状態が変化したと判定された場合、ユーザの活動状態と関連性が低い情報よりも、変化後のユーザの活動状態に関連性がある情報を、見やすく表示するように表示部１６（バックライト１６ｂ）を制御する手段として機能させるようにしても良い。
【００６１】
また、上記実施形態にあっては、ウエアラブル端末装置を一例とし、本発明の表示装置について説明したが、このようなウエアラブル端末装置に限られることなく、例えば、携帯電話、スマートフォン、ＰＤＡのような端末装置に適用することが可能である。
【００６２】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザの活動状態を示す指標情報を検出する指標情報検出手段と、
前記ユーザの活動状態に関する情報を表示する表示手段と、
前記指標情報検出手段により検出された前記指標情報に基づいて、前記ユーザの活動状態が変化したか否かを判定する判定手段と、
前記判定手段により前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する制御手段と、
を備えることを特徴とする表示装置。
＜請求項２＞
前記制御手段は、前記判定手段により前記ユーザの活動状態が変化したと判定された場合、前記ユーザの活動状態の変化後の前記ユーザの活動状態に関連性がある情報を、見やすく表示するように前記表示手段の輝度を上げることを特徴とする請求項１に記載の表示装置。
＜請求項３＞
前記制御手段は、所定時間の間、前記判定手段により前記ユーザの活動状態に変化が無いと判定された場合、前記表示の輝度を下げることを特徴とする請求項１または２に記載の表示装置。
＜請求項４＞
前記指標情報検出手段により検出された前記指標情報に基づいて、前記ユーザの活動状態に関する活動情報を導出する活動情報導出手段をさらに備え、
前記表示手段は、前記活動情報導出手段により導出された複数の活動情報を表示する表示領域をそれぞれ有し、
前記制御手段は、所定時間の間、前記判定手段により前記ユーザの活動状態に変化が無いと判定された場合、当該変化が無いと判定された前記ユーザの活動状態の前記活動情報を表示する表示領域の輝度を下げることを特徴とする請求項１〜３の何れか一項に記載の表示装置。
＜請求項５＞
前記制御手段は、前記判定手段により前記ユーザの活動状態に変化があったと判定された場合、当該変化があったと判定された前記ユーザの活動状態の前記活動情報を表示する表示領域の輝度を上げることを特徴とする請求項４に記載の表示装置。
＜請求項６＞
ユーザの活動状態に関する情報を表示する表示手段を備える表示装置の表示制御方法であって、
前記ユーザの活動状態を示す指標情報を検出する処理と、
検出された前記指標情報に基づいて、前記ユーザの活動状態が変化したか否かを判定する処理と、
前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する処理と、
を含むことを特徴とする表示制御方法。
＜請求項７＞
ユーザの活動状態に関する情報を表示する表示手段を備える表示装置のコンピュータに、
前記ユーザの活動状態を示す指標情報を検出する指標情報検出機能、
前記指標情報検出機能により検出された前記指標情報に基づいて、前記ユーザの活動状態が変化したか否かを判定する判定機能、
前記判定機能により前記ユーザの活動状態が変化したと判定された場合、変化後の前記ユーザの活動状態と関連性が低い情報よりも、変化後の前記ユーザの活動状態に関連性がある情報を、見やすく表示するように前記表示手段を制御する制御機能、
を実現させることを特徴とするプログラム。
【符号の説明】
【００６３】
１００    ウエアラブル端末装置
１１      ＣＰＵ
１４      センサ部
１４ａ    加速度センサ
１４ｂ    気圧センサ
１４ｃ    脈拍センサ
１５      活動情報導出部
１６      表示部
１６ａ    表示パネル
１６ａ１  第１表示領域
１６ａ２  第２表示領域
１６ａ３  第３表示領域
１６ｂ    バックライト
１７      表示制御部
１７ａ    判定部
１９      計時部
【図１】
2016177240.tif 000003
【図２】
2016177240.tif 000004
【図３】
2016177240.tif 000005
【図４】
2016177240.tif 000006
【図５】
2016177240.tif 000007
【図６】
2016177240.tif 000008
【図７】
2016177240.tif 000009
【図８】
2016177240.tif 000010
【図９】
2016177240.tif 000011
【図１０】
2016177240.tif 000012